(57)【要約】【課題】デッキ内スペースを確保できるエスカレータの欄干支持装置を提供する。【解決手段】エスカレータの踏段移動方向に沿って設けられたデッキ内に設けられ、欄干パネルを受け入れて支持する支持溝を持つパネル保持具を備えたエスカレータの欄干支持装置において、パネル保持具の支持溝内に設けられ、くさび作用によって支持溝内に挿入された欄干パネルを押圧して支持する押さえ板を備えたエスカレータの欄干支持装置。【効果】デッキ内の省スペース化を実現し、デッキ内に例えば照明装置などを挿入するためのスペースを確保することができる。【選択図】図３
2011032050.tif 000002
【特許請求の範囲】
【請求項１】
エスカレータの踏段移動方向に沿って設けられたデッキ内に設けられ、欄干パネルを受け入れて支持する支持溝を持つパネル保持具を備えたエスカレータの欄干支持装置において、
上記パネル保持具の上記支持溝内に設けられ、くさび作用によって上記支持溝内に挿入された上記欄干パネルを押圧して支持する押さえ板を備えたことを特徴とするエスカレータの欄干支持装置。
【請求項２】
上記押さえ板を上記パネル保持具と上記欄干パネルとの間に押し込む押し込みボルトを備えたことを特徴とする請求項１に記載のエスカレータの欄干支持装置。
【請求項３】
上記パネル保持具が押さえ板係止案内面を備え、
上記押さえ板が、上記欄干パネルに対向する支持面と、上記支持溝の内面との間に上記押し込みボルトを受け入れるくさび形成空間を形成するくさび斜面とを備え、
上記押し込みボルトが、上記くさび形成空間内に侵入する円錐形の先端を持つことを特徴とする請求項２に記載のエスカレータの欄干支持装置。
【請求項４】
上記パネル保持具が上記支持溝内に押さえ板係止案内面を備え、
上記押さえ板が、上記欄干パネルに対向する支持面と、上記支持溝内で上記押さえ板係止案内面と接触するくさび斜面とを備え、
上記押し込みボルトが、上記押さえ板に接触し、上記押さえ板を上記押さえ板係止案内面に対して押圧させる先端を持つことを特徴とする請求項２に記載のエスカレータの欄干支持装置。
【請求項５】
上記パネル保持具が上記支持溝内に押さえ板係止案内面を備え、
上記押さえ板が、上記欄干パネルに対向する支持面と、上記支持溝内で上記押さえ板係止案内面と接触するくさび斜面とを備え、
上記押し込みボルトが、上記パネル保持具に対して踏段移動方向に進退するものであることを特徴とする請求項２に記載のエスカレータの欄干支持装置。
【請求項６】
上記押さえ板係止案内面および上記押さえ板が複数個直列に、踏段移動方向に列べて配置されていることを特徴とする請求項５に記載のエスカレータの欄干支持装置。
【請求項７】
上記押し込みボルトが、上記欄干パネルを含む面に平行な面内に配置されたことを特徴とする請求項２〜４のいずれか一項に記載のエスカレータの欄干支持装置。
【請求項８】
上記押し込みボルトが、下から上に垂直方向に延びていることを特徴とする請求項２〜４のいずれか一項に記載のエスカレータの欄干支持装置。
【発明の詳細な説明】
【技術分野】
【０００１】
この発明はエスカレータの欄干パネルをデッキ内で支持する欄干パネル支持装置に関するものである。
【背景技術】
【０００２】
エスカレータの欄干内に照明装置を挿入する場合、欄干パネル支持装置は、トラスの主梁の上方に手摺と欄干パネルを支持するパネル保持具と押え板と押し付けボルトにより構成し、押し込みボルトにより押え板の正面すなわちスカートガード側から押し込まれた押さえ板によって欄干パネルの下端部を挟持するようにしていた。照明装置は蛍光灯の光を拡散板によって拡散する構成となっていて、スカートガード側から見て押さえ板および押し込みボルトの手前に取り付けられている（例えば、特許文献１参照）。
【先行技術文献】
【特許文献】
【０００３】
【特許文献１】特開２００３−２０１８３号公報
【発明の概要】
【発明が解決しようとする課題】
【０００４】
このような従来のエスカレータの欄干パネル支持装置においては、欄干内に照明装置を挿入するためなどの理由でデッキ内の省スペース化が必要な場合に、スカートガード側からの押し込みボルトの締め付けにより押え板を欄干パネルに押し当てて支持しているために、デッキ内にスペースを確保することは困難であった。
【０００５】
従ってこの発明の目的は、デッキ内の省スペース化を実現し、デッキ内のスペースを確保することができるエスカレータの欄干支持装置を提供することである。
【課題を解決するための手段】
【０００６】
この発明のエスカレータの欄干支持装置によれば、エスカレータの踏段移動方向に沿って設けられたデッキ内に設けられ、欄干パネルを受け入れて支持する支持溝を持つパネル保持具を備えたエスカレータの欄干支持装置において、上記パネル保持具の上記支持溝内に設けられ、くさび作用によって上記支持溝内に挿入された上記欄干パネルを押圧して支持する押さえ板を備えたことを特徴とするエスカレータの欄干支持装置が得られる。
【発明の効果】
【０００７】
この発明のエスカレータの欄干支持装置によれば、デッキ内の省スペース化を実現し、デッキ内にスペースを確保することができる。
【図面の簡単な説明】
【０００８】
【図１】この発明のエスカレータの欄干支持装置の一実施の形態を適用したエスカレータを示す概略斜視図である。
【図２】図１のエスカレータにおけるエスカレータの欄干支持装置の位置を示す概略側面図である。
【図３】図２の線ＩＩＩ−ＩＩＩに沿ったエスカレータの欄干支持装置を示す断面図である。
【図４】図３のエスカレータの欄干支持装置のパネル保持具と押さえ板とを示す斜視図である。
【図５】この発明のエスカレータの欄干支持装置の別の実施の形態を示す図３と同様の断面図である。
【図６】この発明のエスカレータの欄干支持装置のまた別の実施の形態を示す概略側面図である。
【図７】図６の線ＶＩＩ−ＶＩＩに沿ったエスカレータの欄干支持装置の正面断面図である。
【図８】図６の線ＶＩＩＩ−ＶＩＩＩに沿ったエスカレータの欄干支持装置の上面断面図である。
【発明を実施するための形態】
【０００９】
実施の形態１．
図１および２において、エスカレータは、乗場１から延びて矢印Ａで示す踏段移動方向に循環して移動する多数の踏段２と、踏段２の両側に踏段移動方向Ａに沿って設けられ、スカートガード３、インナーデッキ４およびアウターデッキ５で構成されたデッキ６と、デッキ６内で踏段移動方向Ａに沿ってほぼ等間隔に設けられたこの発明のエスカレータの欄干支持装置７と、欄干支持装置７によって支持されてデッキ６から上方に延びた欄干パネル８と、欄干パネル８の周囲に設けられて、踏段２と同期して走行する手摺９とを備えている。デッキ６には、スカートガード３の上部に踏段２を照明する照明装置２１が設けられている。
【００１０】
図３および４にはエスカレータの欄干支持装置７の詳細構造の一例を示してある。欄干支持装置７は、デッキ６内に設けられて、欄干パネル８を受け入れて支持する支持溝１０を持つほぼＵ字形断面のパネル保持具１１を備えている。パネル保持具１１は、そのフランジ１２によって、デッキ６内でトラス１３に固着されたブラケット１４に取付ボルト１５によって取り付けられている。欄干パネル８は下縁部がパッキング１６によって覆われてパネル保持具１１の支持溝１０内に挿入されており、後に詳しく説明する押さえ板１７のくさび作用によって支持溝１０内に押圧されて支持されている。
【００１１】
パネル保持具１１の頂部の欄干パネル８の外側には、欄干パネル８に沿って設けられたアウターデッキ５が、ビスと止め金などの締結具１８によって固定されており、また欄干パネル８の内側には同様の締結具１９によってインナーデッキ４が固定されている。インナーデッキ４の内側には、パネル保持具１１に取り付けられたブラケット２０によって照明装置２１が設けられていて、インナーデッキ４の照明装置２１に対応する位置には、アクリル板などの光拡散板２２が設けられている。
【００１２】
欄干支持装置７において、パネル保持具１１のほぼＵ字形の支持溝１０の中に設けられている押さえ板１７は、欄干パネル８にパッキング１６を介して対向する支持面２３と、支持面２３に対して反対側の面に設けられて支持溝１０の欄干パネル８を支持してない側の内面２４との間にくさび形成空間２５を形成するくさび斜面２６と、くさび斜面２６の終端部（図３で上部）に段差部として設けられ、欄干パネル８に対して垂直な端面２７とを備えている。パネル保持具１１の支持溝１０の開口部は、欄干パネル８に向かって延びたフランジ部２８を持っていて、フランジ部２８の内面は、押さえ板１７の端面２７に対向して当接する押さえ板係止案内面２９となっている。押さえ板係止案内面２９は、欄干パネル８を含む面に対して垂直である。
【００１３】
欄干支持装置７はさらに、押さえ板１７のくさび斜面２６とパネル保持具１１の支持溝１０の内面２４との間に形成されているくさび形成空間２５内に受け入れられて、押さえ板１７をパネル保持具１１と欄干パネル８との間に押し込む押し込みボルト３０を備えている。押し込みボルト３０は、欄干パネル８を含む面に平行な面内で、下から上に垂直方向に延びるようにパネル保持具１１の支持溝１０の内面２４に接して配置されており、くさび形成空間２５内に侵入する円錐形の先端３１を持っている。先端３１の斜面の傾斜角度はくさび斜面２６と同じ傾斜角度である。押し込みボルト３０の幹部３２にはパネル保持具１１に形成したネジ穴３３にねじ係合したネジ部３４が設けられていて、ストッパナット３５も設けられている。
【００１４】
このように構成された欄干支持装置７において、押し込みボルト３０の頭部を適当な工具で回転させて進退させれば、押し込みボルト３０の円錐形の先端３１の円錐面がくさび形成空間２５に対して進退し、押さえ板１７のくさび斜面２６上を滑って、押さえ板１７をパネル保持具１１の逃げ止め係り代である押さえ板係止案内面２９の案内作用によって欄干パネル８を含む面に対して垂直方向に案内して、押さえ板１７を欄干パネル８に対して押圧あるいは後退させ、欄干パネル８を欄干支持装置７に対して着脱することができるようになる。
【００１５】
このように、この欄干支持装置７によれば、欄干支持装置７をトラス１３の上方のスペースを生かして配置できるので、デッキ６内の省スペース化を実現することができ、例えば照明装置２１のためのスペースをデッキ６内に確保することができる。また、押し込みボルト３０は、欄干パネル８を含む面に垂直な方向ではなく、欄干パネル８の面に平行に下から上に向かって延びており、下方から締付けることができるようにされているので、省スペース化がさらに促進できる。
【００１６】
実施の形態２．
図５に示すエスカレータの欄干支持装置７においては、パネル保持具１１のフランジ部２８上で支持溝１０内に形成された押さえ板係止案内面３６が、欄干パネル８を含む面に対して垂直でなく傾斜しており、図示の例では踏段移動方向Ａ（図２参照）に平行な軸心を持つ円筒面である。また、支持溝１０内に設けられた押さえ板３７が、円筒レンズ形あるいは蒲鉾形の部材であって、欄干パネル８に対向する平坦な支持面３８と、支持溝１０内で押さえ板係止案内面３６と接触する円筒面であるくさび斜面３９とを備えていて、押さえ板３７がくさびの作用をする。
【００１７】
欄干支持装置７はまた、押さえ板３７に接触して、押さえ板３７をパネル保持具１１の押さえ板係止案内面３６に対して押圧させる押し込みボルト４０を備えている。押し込みボルト４０は、その軸心が踏段移動方向Ａに対して垂直な平面内で欄干パネル８を含む面に対して傾斜していて、ほぼ下から上に斜めに延びていて、パネル保持具１１にネジ部４１でねじ係合して支持溝１０内に入り込み、押さえ板３７のくさび斜面３９とは反対側の円筒面である押圧面４２に当接した半球状の先端４３を持っている。押し込みボルト４０にはストッパナット４４も設けられている。その他の構成は図１〜４に示すものと同様である。
【００１８】
このように、この欄干支持装置７においても、欄干支持装置７をトラス１３の上方のスペースを生かして配置できるので、デッキ６内の省スペース化を実現することができ、例えば照明装置２１のためのスペースをデッキ６内に確保することができる。特に、押し込みボルト４０は、欄干パネル８を含む面に垂直な方向からでなく、ほぼ下方から締付けることができるようになるので、省スペース化がさらに促進できる。また、くさび作用をする押さえ板３７、パネル保持具１１の押さえ板係止案内面３６および押し込みボルト４０が、いずれもデッキ６内で欄干パネル８の外側に配置されていて、欄干支持装置７がインナーデッキ４内のスペースを占めてしまうことがない。
【００１９】
実施の形態３．
図６〜８に示すエスカレータの欄干支持装置７においては、押し込みボルト４５が、パネル保持具１１に対して踏段移動方向Ａに進退するものであり、パネル保持具１１の支持溝１０内に設けられた押さえ板係止案内面４６および４７ならびに押さえ板４８および４９が、踏段移動方向Ａに複数個直列に配置されている。すなわち、押さえ板係止案内面４６および４７は、パネル保持具１１の支持溝１０の内面２４の、パッキング１６を介して欄干パネル８を支持する側の面と対向する面に形成されており、支持溝１０内に挿入された欄干パネル８との間に同方向に傾斜した同様の２つのくさび形成空間を形成している。
【００２０】
押さえ板４８および４９はそれぞれ、欄干パネル８にパッキング１６を介して対向する平坦な支持面５０と、支持溝１０内でそれぞれの押さえ板係止案内面４６および４７と接触するくさび斜面５１と、支持面５０とくさび斜面５１との間でくさび形の先端を形成する先端面５２と、くさび形の後端を形成する後端面５３とを備えている。押さえ板係止案内面４６および４７には、それぞれ押さえ板４８および４９が接触できるように配置されていて、押さえ板４８の先端面５２は押さえ板４９の後端面５３に当接しており、押さえ板４９の先端面５２とパネル保持具１１の端壁５４との間には遊び空間５５が設けられている。押さえ板４８の後端面５３は、パネル保持具１１の端壁５６にねじ係合した押し込みボルト４５の先端５７に当接している。
【００２１】
２つの押さえ板４８および４９の支持面５０と、パッキング１６で覆われた欄干パネル８との間には共通の一枚の当て板５８が設けられている。当て板５８は、その両端面でパネル保持具１１の端壁５４および５６の内面に当接し、両側面でパネル保持具１１の支持溝１０の底壁とフランジ部の内面に当接していて、所定の位置に保持される。その他の構成は図１〜５に示すものと同様である。
【００２２】
このように構成された欄干支持装置７において、押し込みボルト４５を回転させて進めれば、その先端５７が押さえ板４８の後端面５３を押し、押さえ板４８はくさび斜面５１を押さえ板係止案内面４６に沿って滑らせつつ、欄干パネル８に向かって押圧される。これと同時に押さえ板４８は先端面５２で押さえ板４９の後端面５３を押圧するため、押さえ板４９も同様に欄干パネル８に向かって押圧される。２つの押さえ板４８および４９のくさび作用による押圧力は共通のあて板５８を介して欄干パネル８に作用してこれを支持することができる。押し込みボルト４５を緩めれば、欄干パネル８を欄干支持装置７から容易に取り外すことができる。
【００２３】
このように、この欄干支持装置７によれば、欄干支持装置７をトラス１３の上方のスペースを生かして配置できるので、デッキ６内の省スペース化を実現することができ、例えば照明装置２１のためのスペースをデッキ６内に確保することができる。特に、押し込みボルト４５は、欄干パネル８を含む面に垂直な方向からでなく、踏段移動方向から締付けることができるようになるので、省スペース化がさらに促進できる。また押え板４８および４９はエスカレータの傾斜部では重力によって自身でくさび空間内に滑り落ちるので、押し込みボルト４５を締付けなくても、欄干パネル８の滑り落ちを防止できる。
【００２４】
以上に図示して説明したエスカレータの欄干支持装置は単なる例であって様々な変形が可能であり、またそれぞれの具体例の特徴を全てあるいは選択的に組み合わせて用いることもできる。
【産業上の利用可能性】
【００２５】
この発明はエスカレータの欄干支持装置に利用できるものである。
【符号の説明】
【００２６】
６  デッキ、７  欄干支持装置、８  欄干パネル、１０  支持溝、１１  パネル保持具、１７、３７、４８、４９  押さえ板、２３、３８、５０  支持面、２４  内面、２５  くさび形成空間、２６、３９、５１  くさび斜面、３０、４０、４５  押し込みボルト、２９、３６、４６、４７  押さえ板係止案内面、３１、４３  先端、Ａ  踏段移動方向。
【図１】
2011032050.tif 000003
【図２】
2011032050.tif 000004
【図３】
2011032050.tif 000005
【図４】
2011032050.tif 000006
【図５】
2011032050.tif 000007
【図６】
2011032050.tif 000008
【図７】
2011032050.tif 000009
【図８】
2011032050.tif 000010